(57)【要約】【課題】無線通信装置が接続すべき無線基地局装置を短時間に選択することが可能な無線通信システム、その無線通信システムに適用される無線通信装置、および無線基地局装置を提供することを目的とする。【解決手段】有線ＬＡＮシステム３０には各無線基地局装置２０の位置情報を含む情報が配信される。各無線基地局装置２０は、各無線基地局装置２０の位置情報を含む報知信号を送信する。無線通信装置１０は、報知信号を受信することで各無線基地局装置２０の位置情報を含むデータベースを作成する。また、無線通信装置１０はＧＰＳ受信機などの測位手段を備えており、自らの位置情報を取得する。無線通信装置１０は自らの位置情報とデータベースとに基づいて最も近距離にある無線基地局装置２０を選択し、当該無線基地局装置２０に対して新規接続処理を実行する。【選択図】図１
2006135716.tif 000002
【特許請求の範囲】
【請求項１】
複数の無線基地局装置と、
複数の無線基地局装置のうち少なくとも１つを選択し、選択した無線基地局装置と通信を行う無線通信装置と、
を備える無線通信システムであって、
複数の無線基地局装置のそれぞれは、無線基地局装置が設置されている位置を表す位置情報を含む報知信号を無線通信装置へ送信し、
無線通信装置は、無線基地局装置から報知信号を受信する報知信号受信手段と、
自らが存在する位置を測定する測位手段と、
を含み、
無線通信装置は、報知信号受信手段が受信した報知信号に含まれる無線基地局装置の位置情報と測位手段による測位結果とに基づいて、通信を行う無線基地局装置を選択することを特徴とする無線通信システム。
【請求項２】
請求項１に記載の無線通信システムにおいて、
測位手段は衛星から送信される信号によって測位を行うことを特徴とする無線通信システム。
【請求項３】
請求項１に記載の無線通信システムにおいて、
複数の無線基地局装置のそれぞれは無線通信装置が測位を行うための測位信号を送信し、
測位手段は無線基地局装置から送信された測位信号に基づいて測位を行うことを特徴とする無線通信システム。
【請求項４】
複数の無線基地局装置のうち少なくとも１つを選択し、選択した無線基地局装置と通信を行う無線通信装置であって、
無線基地局装置が設置されている位置を表す位置情報を含む報知信号を、無線基地局装置から受信する報知信号受信手段と、
自らが存在する位置を測定する測位手段と、
を含み、
報知信号受信手段が受信した報知信号に含まれる無線基地局装置の位置情報と測位手段による測位結果とに基づいて、通信を行う無線基地局装置を選択することを特徴とする無線通信装置。
【請求項５】
請求項４に記載の無線通信装置において、
測位手段は衛星から送信される信号によって測位を行うことを特徴とする無線通信装置。
【請求項６】
請求項４に記載の無線通信装置において、
複数の無線基地局装置のそれぞれは無線通信装置が測位を行うための測位信号を送信する無線基地局装置であり、
測位手段は無線基地局装置から送信された測位信号に基づいて測位を行うことを特徴とする無線通信装置。
【請求項７】
無線通信装置との通信を行う無線基地局装置であって、
無線基地局装置が設置されている位置を表す位置情報を含む報知信号を無線通信装置へ送信し、
無線通信装置が測位を行うための測位信号を送信することを特徴とする無線基地局装置。
【発明の詳細な説明】
【技術分野】
【０００１】
本発明は、複数の無線基地局装置と無線通信装置とを備える無線通信システム、無線通信システムに適用される無線通信装置ならびに無線基地局装置に関する。
【背景技術】
【０００２】
オフィス等においては情報処理端末の設置位置が頻繁に変更されるため、情報処理端末が接続される通信網のすべてを有線接続によって構築することは好ましくない。そこで、通信網のうち根幹の部分を有線ＬＡＮシステムで構築し、有線ＬＡＮシステムと情報処理端末との間の通信は無線通信によって行う構成とした無線ＬＡＮシステムが広く用いられている。無線ＬＡＮシステムにおいては、情報処理端末が通信を行うエリアに無線基地局装置を設け、情報処理端末は、自ら備える無線通信装置を介して無線基地局装置との間の通信を確立する。この無線通信装置は、情報処理端末に容易に備え付けることができるようハードモジュール化されていることが多い。ここで、通信が確立している状態とは、複数の通信手段の間での通信プロトコルが決定しており、当該通信プロトコルを以て通信が可能な状態にあることをいう。以下の説明においては、無線通信装置と無線基地局装置との間の通信を確立することを、単に、無線通信装置と無線基地局装置とを接続する、と表現するものとする。
【０００３】
無線ＬＡＮシステムは、オフィス内での通信に留まらず様々な通信態様に応用することができる。例えば、屋外に無線基地局装置を設けることで、屋外の特定のエリアにおいて通信サービスを行う等である。無線ＬＡＮシステムにおける無線基地局装置の１台当たりのサービスエリア、すなわち単位サービスエリアは半径数１０ｍから数１００ｍの間で任意に設計できるため、全サービスエリアの広さの微細な調整を行うことができる。サービスエリア内に存在する移動体は無線通信装置を備えることで無線基地局装置と通信を行う。この無線通信装置は、移動に伴って受信電界強度が低下して通信状態が悪化した場合には、接続すべき無線基地局装置を順次交換していくハンドオーバ処理を行い、移動体が単位サービスエリアを跨いで別の単位サービスエリアに移動した場合であっても引き続き通信状態を維持することができる。
【０００４】
無線ＬＡＮシステムでは、現在接続している無線基地局装置との間の通信状態が悪化したことを契機として、無線通信装置が他の無線基地局装置との接続を図ろうとする場合、無線通信装置は新たに接続する無線基地局装置を検索する処理を実行する。この処理では、検索に供するためのリクエスト信号を無線通信装置が複数の無線基地局装置に向けて送信する。無線通信装置は、リクエスト信号を受信した複数の無線基地局装置からリクエスト信号に対する応答であるレスポンス信号を受信し、レスポンス信号に基づいて通信品質が最も良好な無線基地局装置を検索する。
【０００５】
なお、無線通信装置と無線基地局装置との間の通信品質を保持しつつハンドオーバ処理を行う技術については、次の文献に開示されている。
【０００６】
【特許文献１】特開２００４−６４５３８号公報
【特許文献２】特開２００４−３２３６６号公報
【発明の開示】
【発明が解決しようとする課題】
【０００７】
無線ＬＡＮシステムにおいてハンドオーバ処理を行う際には、無線通信装置は、無線チャネルをこれから接続しようとする無線基地局装置との間で使用するものに適合させる必要がある。使用する無線チャネルは各無線基地局装置ごとに異なり、各無線基地局装置に割り当てられた無線チャネルは予め無線通信装置側では把握されていない。ここで、各無線基地局装置ごとに異なる無線チャネルが割り当てられているのは、仮に全ての無線基地局装置に同一の無線チャネルを割り当てたとすると、無線基地局装置間で干渉が生じ、通信品質の劣化を招いてしまうためである。
【０００８】
そこで、ハンドオーバ処理は、無線通信装置が規定されている全ての無線チャネルについてリクエスト信号を送信し、リクエスト信号に対するレスポンス信号に基づいて通信品質が最も良好な無線基地局装置を検索する処理を経て行われるのが一般的である。このため、検索処理に際して全ての無線チャネルについてリクエスト信号を送信してレスポンス信号を受信するための時間が必要とされることになり、ハンドオーバ処理を行うために長時間を要する。高速移動する移動体に無線通信装置を設ける場合には、ハンドオーバ処理は移動速度に従って短時間で行われる必要があるため、従来技術の無線ＬＡＮシステムをそのまま適用することは困難である。
【０００９】
本発明はこのような課題に対してなされたものであり、無線通信装置が接続すべき無線基地局装置を短時間に選択することが可能な無線通信システム、その無線通信システムに適用される無線通信装置、および無線基地局装置を提供することを目的とする。
【課題を解決するための手段】
【００１０】
本発明は、複数の無線基地局装置と、複数の無線基地局装置のうち少なくとも１つを選択し、選択した無線基地局装置と通信を行う無線通信装置と、を備える無線通信システムであって、複数の無線基地局装置のそれぞれは、無線基地局装置が設置されている位置を表す位置情報を含む報知信号を無線通信装置へ送信し、無線通信装置は、無線基地局装置から報知信号を受信する報知信号受信手段と、自らが存在する位置を測定する測位手段と、を含み、無線通信装置は、報知信号受信手段が受信した報知信号に含まれる無線基地局装置の位置情報と測位手段による測位結果とに基づいて、通信を行う無線基地局装置を選択することを特徴とする。
【００１１】
また、本発明に係る無線通信システムにおいては、測位手段は衛星から送信される信号によって測位を行う構成とすることが好適である。
【００１２】
また、本発明に係る無線通信システムにおいては、複数の無線基地局装置のそれぞれは無線通信装置が測位を行うための測位信号を送信し、測位手段は無線基地局装置から送信された測位信号に基づいて測位を行う構成とすることが好適である。
【００１３】
また、本発明は、複数の無線基地局装置のうち少なくとも１つを選択し、選択した無線基地局装置と通信を行う無線通信装置であって、無線基地局装置が設置されている位置を表す位置情報を含む報知信号を、無線基地局装置から受信する報知信号受信手段と、自らが存在する位置を測定する測位手段と、を含み、報知信号受信手段が受信した報知信号に含まれる無線基地局装置の位置情報と測位手段による測位結果とに基づいて、通信を行う無線基地局装置を選択することを特徴とする。
【００１４】
また、本発明に係る無線通信装置においては、測位手段は衛星から送信される信号によって測位を行う構成とすることが好適である。
【００１５】
また、本発明に係る無線通信装置においては、複数の無線基地局装置のそれぞれが無線通信装置が測位を行うための測位信号を送信する無線基地局装置である場合に、測位手段は無線基地局装置から送信された測位信号に基づいて測位を行う構成とすることが好適である。
【００１６】
また、本発明は、無線基地局装置が設置されている位置を表す位置情報を含む報知信号を無線通信装置へ送信し、無線通信装置が測位を行うための測位信号を送信することを特徴とする。
【発明の効果】
【００１７】
本発明によれば、無線通信装置が接続すべき無線基地局装置を短時間に選択することが可能な無線通信システム、その無線通信システムに適用される無線通信装置、および無線基地局装置を実現することができる。したがって、無線通信装置が無線チャネルを切り換えながら高速移動した場合であっても、高速なハンドオーバ処理を行うことが可能な無線通信システムを実現することができる。
【発明を実施するための最良の形態】
【００１８】
図１は本発明の第１の実施形態に係る無線通信システム１の構成を示す図である。無線基地局装置２０は有線ＬＡＮシステム３０に接続されており、無線通信と有線通信との間のインターフェースとしての役割を果たす。各々の無線基地局装置２０は独自の単位サービスエリア５０を形成し、複数配置された無線基地局装置２０によって全サービスエリアの拡大が図られる。このような構成によって、各無線基地局装置２０は、有線ＬＡＮシステム３０によって伝送された情報を無線通信装置１０に送信し、無線通信装置１０は無線基地局装置２０を介して有線ＬＡＮシステム３０に情報を送信することができる。ここでは、例としてＩＥＥＥ８０２．１１仕様に基づいて構築されるシステムに本実施形態を適用する場合について考えるが、この通信仕様に限らず、他の通信仕様についても適用可能であることはいうまでもない。
【００１９】
各無線基地局装置２０は、自らと接続している無線通信装置１０に対して、全サービスエリアを形成する全ての無線基地局装置２０についての接続情報を報知する。以下、無線基地局装置２０が接続情報を報知するための信号を報知信号とする。ここで接続情報は、無線基地局装置識別符号、無線基地局装置２０の地球における位置座標、無線チャネル、物理層の種別、新規接続処理開始電界強度、および新規接続処理確定電界強度を含む情報であるものとし、その他無線通信装置と無線基地局装置２０との接続を行うのに必要な情報を含ませることができる。
【００２０】
無線基地局装置識別符号とは、無線基地局装置２０を有線ＬＡＮシステム３０あるいは無線通信装置１０の側で識別するための符号である。
【００２１】
無線基地局装置２０の地球における位置座標は無線基地局装置２０が設置されている位置を表すもので、地球上における緯度、経度、および標高で表される。無線基地局装置２０を設置する場合には、その設置位置座標を設置者が予め測定し、無線基地局装置２０に記憶させておくものとする。また、無線基地局装置２０に衛星測位システムの受信機を設け、衛星測位システムによって設置位置座標を測定する構成とすることも可能である。以下、地球における位置座標を単に絶対位置と表現する。
【００２２】
無線チャネルとは、無線通信装置１０と無線基地局装置２０との間の無線通信を行うためのチャネルをいう。例えば、２．４ＧＨｚ帯を用いるＩＥＥＥ８０２．１１ｂ／ｇ仕様では周波数分割チャネルが用いられており、日本国内においては１４チャネルが定義されている。一般に、無線通信を行うためのチャネルとしては、周波数分割チャネルの他に、符号分割チャネル、時分割チャネル等がある。
【００２３】
物理層の種別は、無線通信装置１０と無線基地局装置２０との間の通信プロトコルを確定するための一要素であり、例えば、ＩＥＥＥ８０２．１１仕様では、１１ａ、１１ｂ、１１ｇ等が定められている。
【００２４】
新規接続処理開始電界強度は、無線基地局装置２０と接続している無線通信装置１０が受信する信号の電界強度が低下して、当該無線通信装置１０が新たな無線基地局装置２０の検索を開始する条件とする電界強度をいう。新規接続処理開始電界強度は無線通信装置１０の側で観測される電界強度を基準として、無線基地局装置２０それぞれについて定められている。
【００２５】
新規接続処理確定電界強度は、無線通信装置１０に対して無線基地局装置２０への接続を許可する条件となる電界強度をいう。この電界強度も新規接続処理開始電界強度と同様、無線通信装置１０の側で観測される電界強度を基準として、無線基地局装置２０それぞれについて定められている。
【００２６】
一般に、有線ＬＡＮシステム３０で伝送される信号は符号を配列した、いわゆるフレームで構成されており、そのフレームはヘッダ部とペイロード部とに分けられる。ヘッダ部が信号を伝送するために必要な処理に関する情報を含んでいるのに対し、ペイロード部は信号の伝送を依頼したアプリケーションソフト等が伝送の目的とする情報、すなわち情報の実質的な内容を含んでいる。無線基地局装置２０が無線通信装置１０に報知する接続情報は、有線ＬＡＮシステム３０に接続されている無線基地局装置２０で生成される。そして、接続情報を生成した無線基地局装置２０は、接続情報を有線ＬＡＮシステム３０で伝送される信号のペイロード部に記述し、同報通信により各無線基地局装置２０に配信する。また、有線ＬＡＮシステム３０に集中管理装置（図示せず）を接続し、接続情報を一括管理して各無線基地局装置２０に配信する構成とすることも可能である。
【００２７】
無線基地局装置２０は、有線ＬＡＮシステム３０から取得した接続情報を含む信号を報知信号として、自らに接続されている無線通信装置１０に送信する。報知信号の送信の際には、接続情報を仕様で規定されているデータフレームに記述し、無線周波数帯の搬送波に変調して送信することとすればよい。接続情報は、無線通信装置１０の移動や無線基地局装置２０の配置変更に対処するために、予め定められた時間ｔ1ごとに生成され報知信号が送信される。また、無線基地局装置２０が固定配置されている場合には、定期的な接続情報の生成は冗長となるため、後述する無線通信装置１０からの報知要求に応じて接続情報の生成および報知信号の送信を行うこととすればよい。
【００２８】
次に、無線通信装置１０の構成および動作について無線通信システム１の動作と共に説明する。図２は無線通信装置１０の構成を示す。無線基地局装置２０から送信された信号は、無線通信システム送受信部１１において受信され、有線ＬＡＮ／情報処理端末インターフェース部１４を介して情報処理端末（図示せず）に入力される。また、情報処理端末から出力された信号は、有線ＬＡＮ／情報処理端末インターフェース部１４を介して無線通信システム送受信部１１から送信され、無線基地局装置２０で受信される。有線ＬＡＮ／情報処理端末インターフェース部１４は有線ＬＡＮシステム３０と情報処理端末との間の通信プロトコルの整合をとるものであり、これによって情報処理端末は、無線通信装置１０を介して有線ＬＡＮシステム３０上の情報資源にアクセスすることができる。
【００２９】
いま、無線通信装置１０が、無線基地局装置識別符号がＡである無線基地局装置２０Ａと接続されているものとすれば、記憶部１５の無線基地局装置識別領域１５ａには無線基地局装置識別符号Ａが記憶される。装置制御部１２はこれを参照することで、無線通信装置１０が無線基地局装置２０Ａに接続されていることを認識する。
【００３０】
［報知信号の受信］
無線通信装置１０は、無線通信システム送受信部１１において接続先の無線基地局装置２０から報知信号を受信する。装置制御部１２は、受信された報知信号に含まれている各無線基地局装置２０の接続情報に基づいて、図３のような構成のデータベース４０を作成して記憶部１５のデータベース領域１５ｂに記憶する。報知信号が時間間隔ｔ1ごとに送信されるシステム設定となっている場合には、無線通信装置１０が報知信号を受信するために無線基地局装置２０に対して何らはたらきかける必要はない。しかしながら、無線通信装置１０からの報知要求に応じて接続情報の生成および報知信号の送信を行うシステム設定となっている場合には、次のような報知要求を行う必要がある。
【００３１】
報知要求においては、装置制御部１２が予め設定された時間ごとに報知要求信号を生成し、無線通信システム送受信部１１を介して接続先の無線基地局装置２０に送信する。報知要求信号を受信しそれを受諾した無線基地局装置２０は、接続情報の生成および報知信号の送信を行う。
【００３２】
また、接続情報にその接続情報が生成された時刻を含ませておき、装置制御部１２は記憶部１５のデータベース領域１５ｂを予め定められた時間間隔で参照して当該時刻を読み取り、予め定められた有効時間が経過したときに報知要求信号の送信を行う構成とすることも可能である。
【００３３】
［無線通信装置の絶対位置の取得］
無線通信装置１０は、予め定められた時間間隔ｔ2で、位置情報受信部１３において自らの絶対位置を算出するための情報を取得する。この時間間隔ｔ2は、無線通信装置１０を備える移動体の移動速度と単位サービスエリア５０の直径等に基づいて、後述するハンドオーバ処理が支障なく行うことができるよう決定されることが好ましい。絶対位置は、衛星測位システムの衛星から送信される測位信号、あるいは測位用固定局装置を配置することで構成された固定局測位システムから送信される測位信号を受信し、これらの測位信号から測位に必要な情報を抽出することによって算出することができる。位置情報受信部１３は、無線通信装置１０の絶対位置の情報を装置制御部１２に入力する。装置制御部１２は、記憶部１５における装置位置記憶領域１５ｃに自らの絶対位置を記憶させ、時間間隔ｔ2で更新を行う。
【００３４】
［ハンドオーバ処理］
ここで、ハンドオーバ処理について図４を参照しつつ説明する。図４はハンドオーバ処理のうち無線通信装置１０が行う処理の流れを示したものである。ハンドオーバ処理は、新規接続処理を開始するか否かの判定を行う処理（Ｓ１）、新規接続処理（Ｓ２からＳ７）、および切断処理に大きく分けられ、以下、順に説明する。
【００３５】
（１）新規接続処理を開始するか否かの判定（Ｓ１）
新規接続処理を開始するか否かを判定する処理は次の２つの判定を経て行われる。一つは受信電界強度が新規接続処理開始電界強度を下回っているか否かの判定であり（以下、受信電界強度判定とする。）、もう一つは現在接続されている無線基地局装置２０が無線通信装置１０から最も近距離にあるか否かの判定である（以下、距離判定とする。）。受信電界強度判定と距離判定はいずれを先に行ってもよく、受信電界強度判定を先に行う処理については図５を、距離判定を先に行う処理については図６を参照して説明する。
【００３６】
（ｉ）受信電界強度判定を先に行う処理（Ｓ１−１）
無線通信装置１０は、接続先の無線基地局装置２０との通信を行いつつ、無線通信システム送受信部１１において受信電界強度を測定し、その値を装置制御部１２に入力する（Ｓ１−１−１）。装置制御部１２はその値が入力されるとともに記憶部１５のデータベース領域１５ｂに記憶されているデータベース４０を参照し、受信電界強度が新規接続処理開始電界強度以上であるか否かを確認する。受信電界強度が新規接続処理開始電界強度を下回った場合、装置制御部１２は距離判定を開始する。また、受信電界強度が新規接続処理開始電界強度以上の場合には、受信電界強度の測定が繰り返される（Ｓ１−１−２）。
【００３７】
例えば、装置制御部１２は、記憶部１５の無線基地局装置識別領域１５ａに記憶されている無線基地局装置識別符号がＡであることを認識すると、図３のデータベース４０の無線基地局装置識別符号Ａを有する無線基地局装置２０Ａに対する新規接続処理開始電界強度を参照する。いまの場合、新規接続処理開始電界強度は−８５ｄＢｍであり、受信電界強度−８５ｄＢｍを下回ったときに距離判定を開始すべきであると判断される。
【００３８】
距離判定を開始すべきであると判断した装置制御部１２は、記憶部１５のデータベース領域１５ｂと装置位置記憶領域１５ｃを参照することで、無線通信装置１０の絶対位置とデータベース４０に記述されている各無線基地局装置２０の絶対位置を取得する（Ｓ１−１−３）。そして、取得した無線通信装置１０の絶対位置と各無線基地局装置２０の絶対位置に基づいて、各無線基地局装置２０までの距離を算出し、最も近距離にある無線基地局装置２０を選択する（Ｓ１−１−６）。これは、サービスエリア内の電波の伝播状況が一様であるとした場合には、最も近距離にある無線基地局装置２０との間の通信品質が最も良好であると予想されるためである。なお、最も近距離にある無線基地局装置２０を選択する処理は、後述する絶対位置取得成否判定を経て行われる（Ｓ１−１−４）。これは、位置情報受信部１３が絶対位置に関する情報を正常に取得したか否かを判定するものである。絶対位置に関する情報が正常に取得できなかったと判定された場合には現在の処理から離れて後述する失敗時処理（Ｓ１−１−５）へと導かれる。
【００３９】
最も近距離にある無線基地局装置２０の選択によって、現在接続されている無線基地局装置２０と同一の無線基地局装置２０が選択された場合は、新規接続処理を開始することなく、現在接続されている無線基地局装置２０との接続を維持する（Ｓ１−１−７）。これは、現在接続されている無線基地局装置２０が、無線通信装置１０から最も近距離にある無線基地局装置２０であり、接続先の無線基地局装置２０を変更しても通信品質が改善される可能性が低いためである。また、現在接続されている無線基地局装置２０と同一の無線基地局装置２０が選択された場合、当該無線基地局装置２０が独自に形成する単位サービスエリア５０内に無線通信装置１０が存在している蓋然性は高く、受信電界強度の低下は、障害物の存在など無線基地局装置２０からの距離が遠くなったこと以外の現象に起因するものと考えられるためである。
【００４０】
現在接続されている無線基地局装置２０とは異なる無線基地局装置２０、例えば、無線基地局装置識別符号Ｂを有する無線基地局装置２０Ｂが選択された場合には、装置制御部１２は新規接続処理を開始するか否かを判定する処理を終了し、新規接続処理を開始する（Ｓ１−１−７）。
【００４１】
（ｉｉ）距離判定を先に行う処理（Ｓ１−２）
上述の受信電界強度判定を先に行う処理（Ｓ１−１）では、装置制御部１２が受信電界強度が新規接続処理開始電界強度を下回ったと判断した場合に距離判定を開始し、距離判定において、最も近距離にある無線基地局装置２０が現在接続中の無線基地局装置２０ではないと判断された場合に新規接続処理を開始する。ここで説明する距離判定を先に行う処理では、まず、装置制御部１２が最も近距離にある無線基地局装置２０を選択し、この選択結果に基づいて、最も近距離にある無線基地局装置２０が現在接続中の無線基地局装置２０ではないと判断された場合に電界強度判定を開始する。そして、電界強度判定によって受信電界強度が新規接続処理開始電界強度を下回ったと判断された場合に新規接続処理を開始する。
【００４２】
装置制御部１２は無線通信装置１０の絶対位置が時間間隔ｔ2で更新されるごとに記憶部１５における装置位置記憶領域１５ｃを参照し、絶対位置に変化がないか否かを監視する。絶対位置に変化がみられた場合、装置制御部１２は、記憶部１５のデータベース領域１５ｂと装置位置記憶領域１５ｃとを参照することによって、無線通信装置１０の絶対位置と各無線基地局装置２０の絶対位置を取得する（Ｓ１−２−１）。そして、取得した無線通信装置１０の絶対位置と各無線基地局装置２０の絶対位置とに基づいて、各無線基地局装置２０までの距離を算出し、最も近距離にある無線基地局装置２０を選択する（Ｓ１−２−４）。これは、サービスエリア内の電波の伝播状況が一様であるとした場合には、最も近距離にある無線基地局装置２０との間の通信品質が最も良好であると予想されるためである。なお、最も近距離にある無線基地局装置２０を選択する動作は、後述する絶対位置取得成否判定を経て行われる（Ｓ１−２−２）。これは、位置情報受信部１３が絶対位置に関する情報を正常に取得したか否かを判定するものである。絶対位置に関する情報が正常に取得できなかったと判定された場合には現在の処理から離れて後述する失敗時処理（Ｓ１−２−３）へと導かれる。
【００４３】
最も近距離にある無線基地局装置２０の選択によって、現在接続されている無線基地局装置２０と同一の無線基地局装置２０が選択された場合、受信電界強度判定を行うことなく、現在接続されている無線基地局装置２０との接続を維持する（Ｓ１−２−５）。これは、現在接続されている無線基地局装置２０が、無線通信装置１０から最も近距離にある無線基地局装置２０であるため、接続先の無線基地局装置２０を変更しても通信品質が改善される可能性が低いためである。
【００４４】
次に、現在接続されている無線基地局装置２０とは異なる無線基地局装置２０、例えば、無線基地局装置識別符号Ｂを有する無線基地局装置２０Ｂが選択されたとする。上記（ｉ）受信電界強度判定を先に行う処理と同様、無線通信装置１０は現在の接続先の無線基地局装置２０との通信を行いつつ、無線通信システム送受信部１１において受信電界強度を測定し、その値を装置制御部１２に入力する（Ｓ１−２−６）。そして、装置制御部１２はその値が入力されるとともに記憶部１５のデータベース領域１５ｂを参照し、受信電界強度が新規接続処理開始電界強度以上であるか否かを確認する（Ｓ１−２−７）。
【００４５】
現在接続されている無線基地局装置２０Ａから受信した信号の受信電界強度が新規接続処理開始電界強度以上である場合、たとえ無線基地局装置２０Ｂが最も近距離にある無線基地局装置２０であると選択されている場合であっても、新規接続処理を行うことなく、現在接続されている無線基地局装置２０Ａとの接続が維持される（Ｓ１−２−７）。これは、通信品質が確保されている以上、いたずらに処理負荷を増大させる必要はないためである。
【００４６】
現在接続されている無線基地局装置２０Ａから受信した信号の受信電界強度が新規接続処理開始電界強度を下回った場合、装置制御部１２は新規接続処理を開始するか否かを判定する処理を終了し、新規接続処理を開始する。
【００４７】
上述の（ｉ）受信電界強度判定を先に行う処理、（ｉｉ）距離判定を先に行う処理のいずれにおいても、新たに接続する無線基地局装置２０は、無線通信装置１０から最も近距離にある無線基地局装置２０であり、いずれによっても高速ハンドオーバ処理に適した処理が実現できる。（ｉ）の処理は受信電界強度判定に係る処理負荷が少なくなるという観点から、無線基地局装置２０がサービスエリア内に密に設置されている場合に有利である。また、（ｉｉ）は各無線基地局装置２０が独自に形成する単位サービスエリア５０の境界領域で電界強度が不安定となる場合に有利である。電磁界強度が不安定であることによって接続が切断される以前に、無線通信装置１０が移動した際には最も近距離にある無線基地局装置２０の選択が随時行われており、迅速に通信品質が良好な無線基地局装置２０へのハンドオーバ処理を行うことができるためである。
【００４８】
（２）新規接続処理
次に、無線通信装置１０を選択された無線基地局装置２０へ新たに接続する際の無線通信装置１０の動作について図４を参照して説明する。以下、この処理を新規接続処理とする。上述の、（ｉ）受信電界強度判定を先に行う処理、（ｉｉ）距離判定を先に行う処理のいずれにおいても、新たに接続する無線基地局装置２０は無線通信装置１０から最も近距離にある無線基地局装置２０である。先の例では、この無線基地局装置２０は無線基地局装置２０Ｂである。以下、この例に従い、先に接続されていた無線基地局装置２０は無線基地局装置２０Ａであり、新たに接続すべき無線基地局装置２０は無線基地局装置２０Ｂであるものとする。
【００４９】
装置制御部１２はデータベース４０における無線基地局装置２０Ｂに対する無線チャネルおよび物理層の種別を参照し、これに従ってリクエスト信号を生成して無線通信システム送受信部１１を介して無線基地局装置２０Ｂに向けて送信する。すなわち、データベース４０に示されるように、無線チャネルおよび物理層の種別は無線基地局装置２０ごとに異なっており、選択された無線基地局装置２０Ｂに適合した通信プロトコルおよび無線チャネルを選択した上でリクエスト信号を送信するわけである（Ｓ２）。無線基地局装置２０Ｂは、リクエスト信号を受信して接続要求を受諾するとレスポンス信号を無線通信装置１０に送信する（Ｓ３）。無線通信装置１０は、無線通信システム送受信部１１においてレスポンス信号を受信し（Ｓ３）、装置制御部１２は受信されたレスポンス信号によって無線基地局装置２０Ｂが接続要求を受諾したことを認識し、無線基地局装置２０Ｂとの接続動作を開始する。なお、ここで説明したリクエスト信号およびレスポンス信号は、ＩＥＥＥ８０２．１１仕様においてはプローブリクエストフレームおよびプローブレスポンスフレームとして規定されている。
【００５０】
ここで、無線基地局装置２０Ｂから送信されたレスポンス信号に基づいて、無線通信装置１０は無線基地局装置２０Ｂから送信された信号の受信電界強度を測定する。すなわち、無線通信装置１０の無線通信システム送受信部１１は受信電界強度を測定し、その値を装置制御部１２に入力する（Ｓ４）。装置制御部１２はその値が入力されるとともに記憶部１５のデータベース領域１５ｂを参照し、受信電界強度が新規接続処理確定電界強度以上であるか否かを確認する（Ｓ５）。受信電界強度が新規接続処理確定電界強度以上である場合は、装置制御部１２は無線基地局装置２０Ｂとの新規接続処理を継続し完了する（Ｓ７）。例えば、図３のデータベース４０では無線基地局装置２０Ｂに対する新規接続処理確定電界強度は−７７ｄＢｍであり、無線基地局装置２０Ｂから送信された信号の受信電界強度が−７７ｄＢｍ以上である場合には新規接続処理が継続される。
【００５１】
ここで、受信電界強度が新規接続処理確定電界強度に満たない場合には、装置制御部１２は新規接続処理を中止して回復処理を行う（Ｓ６）。回復処理とは、通信プロトコルおよび無線チャネルを先に接続されていた無線基地局装置２０Ａのものに戻し、ハンドオーバ処理を開始する前の状態、すなわち先に接続されていた無線基地局装置２０Ａへの接続を再開する処理をいう。
【００５２】
新規接続処理では、予め最も近距離にある無線基地局装置２０を選択しているため、全ての無線チャネルについてリクエスト信号を送信する必要がない。ＩＥＥＥ８０２．１１仕様に基づいて構築されたシステムであれば、無線通信装置１０がパッシブ・スキャンモードで動作するものとして、プローブ処理を省略して認証手順から接続処理を開始することが可能となる。
【００５３】
（３）切断処理
次に、新規接続処理が完了した後、無線基地局装置２０Ａとの接続を切断する処理について説明する。無線基地局装置２０Ｂへの新規接続処理が完了した場合、無線基地局装置２０Ｂは以前から無線通信装置１０と接続されていた無線基地局装置２０Ａに、有線ＬＡＮシステム３０を介して移動通知信号を送信する。移動通知信号を受信した無線基地局装置２０Ａは、以前から接続状態にあった無線通信装置１０との接続を切断する処理を行う。一方、無線通信装置１０の装置制御部１２は、記憶部１５の無線基地局装置識別領域１５ａに無線基地局装置識別符号Ｂを記憶させる。これによって、無線基地局装置２０と接続される無線基地局装置２０は無線基地局装置２０Ａから無線基地局装置２０Ｂに完全に切り換えられたことになり、これを以てハンドオーバ処理が完了する。ＩＥＥＥ８０２．１１ｆ仕様においては、切断処理に係る一連の動作は、ムーブ・ノーティファイの発行、デアソシエーションの発行として規定されている。この規定によれば、無線基地局装置２０Ａは、以前から接続状態にあった無線通信装置１０に対して通信の切断を要求する無線切断信号を送信することとなる。しかしながら、いまの場合、無線通信装置１０は無線基地局装置２０Ｂへの新規接続処理を既に完了しているため、無線基地局２０Ａから送信された無線切断信号を受信することはできない。したがって、無線基地局装置２０Ａは、必ずしも無線切断信号を送信する必要はない。
【００５４】
［絶対位置取得成否判定］
無線通信装置１０は、予め定められた時間間隔ｔ2で衛星測位システムあるいは固定局測位システムからの測位信号を受信し、自らの絶対位置に関する情報を取得する。しかしながら、測位システムの電波状況によっては、自らの絶対位置に関する情報を取得できないことがあり、ハンドオーバ処理に支障をきたすおそれがある。
【００５５】
そこで、無線通信装置１０は、位置情報受信部１３が絶対位置に関する情報を正常に取得したか否かを判定する絶対位置取得成否判定を行い、絶対位置に関する情報が正常に取得できなかったと判定された場合には現在の処理から離れて失敗時処理を開始する。
【００５６】
絶対位置取得成否判定においては、無線通信装置１０の位置情報受信部１３は、算出された絶対位置が、測位信号を正常に取得して算出されたものであるのか、測位信号が正常に取得されなかったために大きな誤差を含む蓋然性が高いものであるのかを示す絶対位置取得成否信号を装置制御部１２に入力する。
【００５７】
絶対位置取得成否信号が、絶対位置の取得に失敗した旨を示す場合、装置制御部１２は失敗時処理を行う。失敗時処理においては記憶部１５における装置位置記憶領域１５ｃに自らの絶対位置を記憶させる動作を行わず、算出された絶対位置が測位信号を正常に取得して算出されたものであると判定された場合の処理に戻る（Ｓ１−１−５、Ｓ１−２−３）。このようにすることで、絶対位置の取得に失敗した場合には、記憶部１５の装置位置記憶領域１５ｃに記憶されている直近の絶対位置が用いられることとなる。
【００５８】
しかしながら、無線通信装置１０自らの絶対位置に関する情報が長時間に亘って取得できない場合には、記憶されている直近の絶対位置と、実際に無線通信装置１０が存在する絶対位置とが大きく異なり、記憶部１５に記憶されている直近の絶対位置を使用する意義に欠ける。
【００５９】
そこで、装置制御部１２が、絶対位置取得成否信号が絶対位置の取得に失敗した旨を連続して示した回数をカウントし、当該回数が予め設定した回数を超えた場合には従来技術におけるハンドオーバ処理を実行する構成としてもよい。従来技術におけるハンドオーバ処理とは、先述のように、定義された全ての無線チャネルについてリクエスト信号を送信し、リクエスト信号に対するレスポンス信号に基づいて通信品質が最も良好な無線基地局装置２０を検索する処理である。このようにすることで、可能な限り有線ＬＡＮシステム３０との接続を良好に維持することができる。
【００６０】
本発明の第１の実施形態の構成における動作の概要をまとめると図７のようになる。
（１）有線ＬＡＮシステム３０に接続情報が配信される。
（２）各無線基地局装置２０は報知信号を送信する。
（３）無線通信装置１０は、報知信号を受信することで各無線基地局装置２０の接続情報を取得し、これによってデータベースを作成する。
（４）無線通信装置１０が移動し、ハンドオーバ処理の一環としての新規接続処理開始の判断がなされると、最も近距離にある無線基地局装置２０への新規接続処理が実行される。
（５）新たに接続が開始された無線基地局装置２０は、以前に接続されていた無線基地局装置２０に対して有線ＬＡＮシステム３０を介して移動通知信号を送信する。
（６）以前に接続されていた無線基地局装置２０は、無線通信装置１０との接続を切断する処理を行う。
【００６１】
本発明の第１の実施形態における無線通信装置１０は、図２に示すような位置情報受信部１３を備える必要がある。これは、先述のように、衛星測位システムの衛星から送信される測位信号、あるいは固定局測位システムの測位用固定局装置から送信される測位信号を受信するものである。
【００６２】
無線通信装置１０が屋外で使用される場合には、既存のシステムである衛星測位システムを適用することが好適である。しかしながら、無線通信装置１０が屋内で使用されるような場合には、衛星測位システムでは十分な精度で位置情報を取得することができないため、測位用固定局装置を屋内に設置した固定局測位システムを構築することが好ましい。
【００６３】
測位用固定局装置が送信する測位信号には、測位用固定局装置の絶対位置の情報や送信時刻の情報等を含む測位情報が含まれている。無線通信装置１０は測位用固定局装置から送信された測位信号を受信した時刻と測位情報に含まれる送信時刻とに基づいて測位用固定局装置からの距離を算出する。また、測位信号の受信電界強度を用いて測位用固定局装置からの距離を算出することも可能である。無線通信装置１０は、複数の測位用固定局装置からの距離と、それぞれの測位用固定局装置の絶対位置とに基づいて自らの絶対位置を算出する。
【００６４】
ここで、測位用固定局装置は無線基地局装置２０と異なる装置として構成することも、同一装置として構成することも可能である。また、屋内をサービスエリアとする場合には固定局測位システムを無線通信装置１０の測位手段として適用し、屋外をサービスエリアとする場合には衛星測位システムを無線通信装置１０の測位手段として適用するというように、状況に合わせて測位手段を選択することが可能な構成としてもよい。
【００６５】
次に、本発明の第２の実施形態について説明する。図８は第１の実施形態の無線通信システム１における無線基地局装置２０を測位用固定局装置と同一装置として構成し、これを測位基地局装置２２として建造物の内部に設置した無線通信システム３の構成を示す。各測位基地局装置２２は互いに有線ＬＡＮシステム３０を介して接続されており、有線ＬＡＮシステム３０と無線通信装置１０との間のインターフェースとして動作するのみならず、固定局測位システムの測位用固定局装置としても動作する。また、有線ＬＡＮシステム３０には、各測位基地局装置２２の設置位置を記憶管理する位置管理サーバ６０が接続されている。各測位基地局装置２２の屋内における設置位置を変更した場合には、位置管理サーバ６０の記憶管理内容を書き換えればよい。無線通信装置１０がサービスエリア内を移動するとともに接続先の測位基地局装置２２を切り換えていくハンドオーバ処理は、第１の実施形態で行われている処理と同様のものである。
【００６６】
本実施形態は、衛星測位システムではカバーしきれない高層ビルが立ち並ぶ市街地やコンサートホール、スタジアムのような大型屋内施設に適用する場合に好適である。
【００６７】
次に、本発明の第３の実施形態について図９を参照して説明する。本実施形態の無線通信システム５は、第１の実施形態の無線通信システム１における無線通信装置１０を自動車８０などの高速移動体に搭載したものである。無線通信装置１０の位置情報受信部１３としては、ＧＰＳ衛星７０からの測位信号を受信することで測位を行うＧＰＳ測位装置を用いることが好適である。ＧＰＳ測位システムはカーナビゲーション等で広く用いられており、屋外で１０ｍ程度の測位分解能を以て測位を行うことが可能である。
【００６８】
無線基地局装置２０は自動車８０が走行するエリアに配置される。自動車８０に搭載された無線通信装置１０は、自動車８０が高速移動するとともにハンドオーバ処理を行い、接続先の無線基地局装置２０を切り換えていく。本実施形態では高速なハンドオーバ処理が可能であるため、広帯域データ通信や途切れのない音声通信を快適に行うことができる。
【００６９】
なお、ＧＰＳ測位システムの代わりに、ＧＬＯＮＡＳＳ測位システム、ＧＡＬＩＬＥＯ測位システム等を利用することも可能である。
【００７０】
以上、本発明の実施形態について説明した。本発明はこれらの実施形態になんら限定されるものではなく、本発明の要旨の範囲内で様々な実施形態が可能であることはいうまでもない。
【図面の簡単な説明】
【００７１】
【図１】第１の実施形態の無線通信システムの構成を示す図である。
【図２】無線通信装置の構成を示す図である。
【図３】データベースの構成を示す図である。
【図４】ハンドオーバ処理の流れを示す図である。
【図５】新規接続処理を開始するか否かの判定において、受信電界強度判定を先に行う場合の処理の流れを示す図である。
【図６】新規接続処理を開始するか否かの判定において、距離判定を先に行う場合の処理の流れを示す図である。
【図７】第１の実施形態の構成における動作の概要をまとめて示した図である。
【図８】第２の実施形態の無線通信システムの構成を示す図である。
【図９】第３の実施形態の無線通信システムの構成を示す図である。
【符号の説明】
【００７２】
１，３，５  無線通信システム、１０  無線通信装置、１１  無線通信システム送受信部、１２  装置制御部、１３  位置情報受信部、１４  有線ＬＡＮ／情報処理端末インターフェース部、１５  記憶部、１５ａ  無線基地局装置識別領域、１５ｂ  データベース領域、１５ｃ  装置位置記憶領域、２０、２０Ａ、２０Ｂ、２０Ｃ、２０Ｄ  無線基地局装置、２２  測位基地局装置、３０  有線ＬＡＮシステム、４０  データベース、５０  単位サービスエリア、６０  位置管理サーバ、７０  ＧＰＳ衛星  ８０  自動車。
【図１】
2006135716.tif 000003
【図２】
2006135716.tif 000004
【図３】
2006135716.tif 000005
【図４】
2006135716.tif 000006
【図５】
2006135716.tif 000007
【図６】
2006135716.tif 000008
【図７】
2006135716.tif 000009
【図８】
2006135716.tif 000010
【図９】
2006135716.tif 000011